(57)【特許請求の範囲】
【請求項１】
画像情報に応じて画像が形成される像担持体と、
前記像担持体方向に用紙を搬送する搬送手段と、
前記用紙に接触する下側搬送手段及び、絶縁性薄膜層及び導電性薄膜層の積層体からなり前記絶縁性薄膜層側が前記下搬送手段に対向するガイド手段並びに、前記導電性薄膜層に取着して前記ガイド手段を支持し前記導電性薄膜層をアースする導電性支持手段を有し、前記搬送手段により前記像担持体方向に搬送される前記用紙を支持する支持手段と、
前記下側搬送手段に所定極性のバイアス電圧を印加する印加手段と、
前記ガイド手段に導かれた前記用紙に前記像担持体に形成された画像を転写する転写手段とを具備する画像形成装置において、
前記ガイド手段の先端と前記下搬送手段との距離が１．５ｍｍ〜２．０ｍｍであると共に前記ガイド手段の先端と前記像担持体との距離が１．０〜２．０ｍｍであることを特徴とする画像形成装置。
【請求項２】
画像情報に応じて画像が形成される像担持体と、
前記像担持体方向に用紙を搬送する搬送手段と、
前記用紙に接触する下側搬送手段及び、絶縁性フィルム及びこの絶縁性フィルム全面に固着される導電性フィルムの積層体からなり前記絶縁性フィルム側が前記下側搬送手段に対向するガイド手段並びに、前記導電性フィルム側に導電性接着剤にて取着して前記ガイド手段を支持し前記導電性フィルムをアースする導電性支持手段を有し、前記搬送手段により前記像担持体方向に搬送される前記用紙を支持する支持手段と、
前記下側搬送手段に所定極性のバイアス電圧を印加する印加手段と、
前記ガイド手段に導かれた前記用紙に前記像担持体に形成された画像を転写する転写手段とを具備する画像形成装置において、
前記ガイド手段の先端と前記下搬送手段との距離が１．５ｍｍ〜２．０ｍｍであると共に前記ガイド手段の先端と前記像担持体との距離が１．０〜２．０ｍｍであることを特徴とする画像形成装置。
【請求項３】
前記転写手段は転写チャージャであり、前記下搬送手段は、前記転写チャージャと一体的に形成される転写・剥離チャージャガイドであり、前記転写・剥離チャージャガイドは、前記印加手段により印加されるバイアス電圧により前記用紙に電荷を付与することを特徴とする請求項２又は請求項３に記載の画像形成装置。
【発明の詳細な説明】
【０００１】
【発明の属する技術分野】
本発明は、画像形成装置等用紙を取扱う装置に係り、特に電荷を保持する用紙を導く用紙搬送装置及び画像形成装置の改良に関する。
【０００２】
【従来の技術】
従来画像形成装置において、感光体の転写位置にシート紙を搬送する搬送装置にあっては、転写チャージャによる転写効率を上げるために転写前搬送路に電圧を印加して、シート紙に電荷を付与しているが、この電荷がリークされるのを防止するため、転写前搬送路に対向するガイドを、絶縁性のポリエステルフィルム等からなる絶縁性フィルムにて形成していた。
【０００３】
【発明が解決しようとする課題】
しかしながらこの様に絶縁性フィルムからなるガイドにあっては、例えば正極性に帯電しているシート紙を案内する場合、図３に示す様に、シート紙Ｐとの摺接によりガイド１０が負極性に帯電してしまっていた。このため従来は、ガイド１０の支持ブラケット１１を板金にて形成し、これをアースする事によりガイド１０に発生する負極性の帯電々荷を除電していたものの、ガイド１０先端部の除電が成されない事から、周囲に浮遊しているトナー１２を静電的に引き付けてしまい、ガイド１０先端部には浮遊トナー１２の吸着による堆積を生じていた。
【０００４】
このためシート紙Ｐ搬送中に、シート紙Ｐ後端が跳ね上がる等してガイド１０に当たると、ガイド１０先端に堆積したトナー１２がシート紙Ｐ上に落下しシート紙Ｐを汚損したり、或いはガイド１０先端に堆積したトナー１２の負極性の帯電量が所定の値を越えると、正極性に帯電されるシート紙に静電的に引き付けられシート紙Ｐを汚損しひいては画質を低下するという問題を生じていた。
【０００５】
そこで本発明は上記問題を除去するもので、転写チャージャによる転写効率或いは、感光体の表面電位特性を損なう事無く、ガイド上に堆積されるトナーの付着による画像の汚損を防止し、良質の画像を得ることが出来る搬送装置及び画像形成装置を提供する事を目的とする。
【０００６】
【課題を解決するための手段】
本発明は上記課題を解決するための第１の手段として、画像情報に応じて画像が形成される像担持体と、前記像担持体方向に用紙を搬送する搬送手段と、前記用紙に接触する下側搬送手段及び、絶縁性薄膜層及び導電性薄膜層の積層体からなり前記絶縁性薄膜層側が前記下搬送手段に対向するガイド手段並びに、前記導電性薄膜層に取着して前記ガイド手段を支持し前記導電性薄膜層をアースする導電性支持手段を有し、前記搬送手段により前記像担持体方向に搬送される前記用紙を支持する支持手段と、前記下側搬送手段に所定極性のバイアス電圧を印加する印加手段と、前記ガイド手段に導かれた前記用紙に前記像担持体に形成された画像を転写する転写手段とを具備する画像形成装置において、前記ガイド手段の先端と前記下搬送手段との距離が１．５ｍｍ〜２．０ｍｍであると共に前記ガイド手段の先端と前記像担持体との距離が１．０〜２．０ｍｍであるものである。
【０００７】
また本発明は上記課題を解決するための第２の手段として、画像情報に応じて画像が形成される像担持体と、前記像担持体方向に用紙を搬送する搬送手段と、前記用紙に接触する下側搬送手段及び、絶縁性フィルム及びこの絶縁性フィルム全面に固着される導電性フィルムの積層体からなり前記絶縁性フィルム側が前記下側搬送手段に対向するガイド手段並びに、前記導電性フィルム側に導電性接着剤にて取着して前記ガイド手段を支持し前記導電性フィルムをアースする導電性支持手段を有し、前記搬送手段により前記像担持体方向に搬送される前記用紙を支持する支持手段と、前記下側搬送手段に所定極性のバイアス電圧を印加する印加手段と、前記ガイド手段に導かれた前記用紙に前記像担持体に形成された画像を転写する転写手段とを具備する画像形成装置において、前記ガイド手段の先端と前記下搬送手段との距離が１．５ｍｍ〜２．０ｍｍであると共に前記ガイド手段の先端と前記像担持体との距離が１．０〜２．０ｍｍであるものである。
【００１１】
そしてこのような構成により、シート紙の電荷を保持しつつ、シート紙との摺接によりガイド手段に生じる帯電々荷の蓄積を防止し、ガイド手段への浮遊トナーの静電吸着による堆積を低減することにより、ガイド上の堆積トナーによる画像の汚損を防止し、画質向上を図るものである。
【００１２】
【発明の実施の形態】
以下本発明を図１及び図２に示す実施の形態を参照して説明する。図１は、画像形成装置全体の内部構成を示すもので、装置本体１の上面には原稿Ｄを載置する原稿台１３及び原稿カバ−１４が設けられている。装置本体１内には、像担持体であるドラム状の感光体２０が配置され、感光体２０の周囲には、その回転方向に沿って従来より周知であり、感光体２０表面に一様に＋８００［Ｖ］の帯電々荷を付与する帯電チャ−ジャ２１、露光装置２２の露光部２２ａ，現像装置２３、転写手段である転写チャ−ジャ２４、剥離チャ−ジャ２６、清掃装置２７、除電装置２８が順次配置されている。
【００１３】
一方、装置本体１の下方部には、感光体２０の転写位置２４ａに供給される用紙であるシート紙Ｐを収納する給紙カセット装置１６が装着されている。又、装置本体１の右側部には、シート紙Ｐを手差しにより装置本体１に供給する給紙トレイ１７が設けられている。
【００１４】
更に装置本体１内には、給紙カセット装置１６、あるいは給紙トレイ１７、から供給されたシート紙Ｐを、感光体２０の転写位置２４ａを経て排紙トレイ１８に導く搬送手段である搬送装置３１が設けられている。この搬送装置３１の感光体２０より上流側には、シート紙Ｐの先端を揃え、感光体２０上に形成されるトナー像との同期を取りつつシート紙を搬送するレジストロ−ラ対３２及び、レジストローラ３２から転写位置２４ａにシート紙Ｐを導くガイド手段であるガイドフィルム４１並に、直流電源４２ａにより＋１．２５［ｋＶ］のバイアス電圧が印加される下側搬送手段である転写・剥離チャージャガイド４２が配設され、感光体２０より下流側には、定着ロ−ラ３３、排紙ロ−ラ対３４が配置され、剥離チャ−ジャ２６と定着ロ−ラ３３との間には、搬送ベルト３６が配設されている。
【００１５】
ここでガイドフィルム４１は、絶縁性フィルムである絶縁性マイラ４１ａ及び導電性フィルムである導電性マイラ４１ｂを積層した２層構造を有し、その先端と、転写・剥離チャージャガイド４２の斜面とのギャップＡを約１．０ｍｍとすると共に、ガイドフィルム４１先端と、感光体２０表面とのギャップＢを１．５ｍｍとするよう、導電性支持手段であるブラケット４３に支持されている。このブラケット４３は板金からなリその一端はアースされており、ガイドフィルム４１上面のその導電性マイラ４１ｂと導電性接着剤（図示せず）により接着されている。
【００１６】
又、３７ａは給紙カセット装置１６からシート紙Ｐを一枚ずつ取り出し第１の分離装置３８ａに供給する第１のピックアップロ−ラであり、３７ｂは給紙トレイ１７からシート紙Ｐを一枚ずつ取り出し第２の分離装置３８ｂに供給する第２のピックアップロ−ラである。
【００１７】
次に作用についてのべる。コピ−枚数、コピ−倍率、シート紙サイズ、画像濃度等のコピ−条件を図示しない操作パネル上よりセットし、スタートキー（図示せず）をオンしコピ−を開始すると、感光体２０の回転に従い画像手段２により順次、帯電、露光、現像の各工程を実施され、その表面にトナー像を形成され、転写位置２４ａに達する。又、感光体２０上にトナー像が形成される間、給紙カセット装置１６側にあっては、第１のピックアップロ−ラ３７ａの駆動によりシート紙Ｐが取り出され、レジストローラ対３２位置で一旦停止されている。この後シート紙Ｐは、感光体２０上のトナー像先端が転写位置２４ａに達するのに同期して、レジストローラ対３２により搬送を再開されガイドフィルム４１及び転写・剥離チャージャガイド４２を通り、転写位置２４ａに搬送される。
【００１８】
転写・剥離チャージャガイド４２により正極性の電荷が付与されるため、シート紙Ｐは正極性に帯電され、この様な正極性の電荷を有するシート紙Ｐとの摺接によりガイドフィルム４１の絶縁性マイラ４１ａには負極性の電荷が発生される。しかしながら、ガイドフィルム４１上面は導電性マイラ４１ｂがブラケット４３を介しその全面がアースされ、負極性の電荷が除去されており、静電的な吸引によるガイドフィルム４１上面への浮遊トナーの堆積は成されない。
【００１９】
そしてシート紙Ｐは転写位置２４ａにて感光体２０上の現像剤像を転写された後、剥離チャ−ジャ２６により感光体２０から剥離される。この後シート紙Ｐは搬送ベルト３６により搬送され、定着ロ−ラ３３にて画像を定着され、排紙トレイ１８方向に排出される。尚、転写終了後感光体２０はその回転に従い、清掃装置２７、除電装置２８を経てコピ−操作を終了する。この操作を繰返し、必要枚数のコピーを得る事となる。
【００２０】
尚この様にして１００００枚のコピ−実験を行った所、感光体２０の表面電位の低下による画質不良や、シート紙Ｐの帯電不足による転写不良を来すこと無く、従来生じていたガイドフィルム４１上のトナーが付着されて生じるシート紙Ｐの汚損が解消され、良好な画像を得られた。
【００２１】
この様に構成すれば、正極性に帯電されたシート紙Ｐとの摺接によりガイドフィルム４１が負極性に帯電されても、その上面が導電性マイラ４１ｂからなっているので、アースされたブラケット４３を介し直ちに除電されるので、ガイドフィルム４１上面に、浮遊トナーが吸着堆積される事が無い、従って、搬送中にシート紙Ｐがガイドフィルム４１に触れても、その衝撃によりシート紙Ｐ上にトナーがこぼれたり、或いは従来の様に堆積トナーの帯電量が所定量に達するとシート紙Ｐ側に静電的に引き付けられて、シート紙Ｐを汚損するという事が無く、良好な画像を得られる。しかも、ガイドフィルム４１のシート紙Ｐと対向する側は、絶縁性マイラ４１ａにて形成されているので、転写・剥離チャージャガイド４２により付与されたシート紙Ｐ上の正極性の電荷がリークされること無く、転写時十分な転写電荷を得られ、良好に転写を行なえる。又、ガイドフィルム４１は感光体２０の表面電位をリークしない程度に感光体２０から離間されており、画像不良を来す事もない。
【００２２】
尚本発明は、上記発明の実施の形態に限られるものでなく、ガイド手段の絶縁性薄膜層及び導電性薄膜層の材質等限定されない。又、支持手段によるガイド手段の設置位置も画質を損なわない範囲であれば任意である。
【００２３】
但しガイド手段先端と、用紙に転写前電荷を付与する下側搬送手段或いは、像担持体との距離によっては、
（１）ガイド手段上面の堆積トナーによる用紙の汚損（これは、用紙との摺接による帯電にかかわらず、ガイド手段の導電性薄膜層側にあっては、直ちに除電が成される事から、ガイド手段が浮遊トナーを静電的に引き付ける事は無いものの、自然落下によりガイド手段に堆積するトナーは存在する事から、ガイド手段に用紙が当接し、その衝撃が大きいと、自然堆積されたトナーが用紙に落下したり或いは下側搬送手段に落下したトナーと摺接する事により発生する。）
（２）搬送時の用紙のブレによる画像ブレ（これは、用紙がガイド手段を通過する際、用紙に衝撃が加わると発生されるが、特に、用紙先端がガイド手段により案内され所定の角度にて像担持体に到達する時或いは、用紙後端がガイド手段と下側搬送手段とにより形成される搬送路を通り抜ける時、用紙に生じる衝撃が所定の値を越えることにより発生しやすい。）
（３）像担持体の表面電位の低下による画像不良（これは、ガイド手段の導電性薄膜層が、像担持体に近接し過ぎると、像担持体上の表面電位がガイド手段の導電性薄膜からリークされ、転写不良を生じる事により発生する。）
という不具合を生じる。
【００２４】
そしてこれ等不具合を解消するには、用紙とガイド手段との接触状態を規制すると共に、像担持体とガイド手段との位置関係を規制すれば良い。具体的には、前記実施の形態において、図２に示す様に、転写・剥離チャージャガイド４２の斜面とガイドフィルム４１先端とのギャップをＡとし、感光体２０表面とガイドフィルム４１先端とのギャップをＢとした場合に、ギャップＡ及びギャップＢを調整して実験を行なった所、表１に示すように、ギャップＡが１．５ｍｍ〜２．０ｍｍ、ギャップＢが１．０ｍｍ〜２．０ｍｍであれば、シート紙Ｐのガイドフィルム４１との接触にかかわらず自然堆積トナーによるシート紙の汚損が観察されなかった。又ギャップＡが１．０ｍｍ〜２．０ｍｍ、ギャップＢが１．０ｍｍ〜２．６ｍｍであれば、搬送時のシ−ト紙のブレによる画像ブレが観察されなかった。更にギャップＡが０．５ｍｍ以上、ギャップＢが１．０ｍｍ以上であれば、感光体２０上の電荷がリークされ表面電位が低下する事による画像不良が観察されなかった。
【００２５】
【表１】
0003654994.tif 000002
【００２６】
以上の実験結果より、ガイドフィルム４１を、ギャップＡが１．５ｍｍ以上２．０ｍｍ以下、ギャップＢが１．０ｍｍ以上２．０ｍｍ以下となるように設置すれば、上記（１）〜（３）の不具合による画質低下を生じる事無く、鮮明で良好な画像を得られる。
【００２７】
又、ガイド手段の支持手段への取り付け方法も任意であり、導電性接着剤を用いる事無く、導電性薄膜層側をネジ等により支持手段に取着しても良い。
【００２８】
【発明の効果】
以上説明したように本発明によれば、ガイド手段が絶縁性及び導電性の薄膜層を積層した構造からなっているので、転写効率を向上するために、予め用紙に電荷を付与しながら搬送する装置において、絶縁性薄膜層を用紙と摺接する面に対向する事により、用紙との摺接によりガイド手段が帯電されても、その上面は導電性薄膜層により直ちに除電されるので、従来の様に浮遊トナーがガイド手段に静電的に吸着堆積される事が無く、この様な堆積トナーの振動による落下或いは静電的な吸着による用紙の汚損が防止され、画像汚れの無い良好な画像を得られる。
【図面の簡単な説明】
【図１】本発明の実施の形態の画像形成装置を示す構成図である。
【図２】本発明の実施の形態の転写位置近傍を示す構成図である。
【図３】従来の装置の転写位置近傍を示す構成図である。
【符号の説明】
１…装置本体
２０…感光体
２４…転写チャージャ
３１…搬送装置
４１…ガイドフィルム
４１ａ…絶縁性マイラ
４１ｂ…導電性マイラ
４２…転写・剥離チャージャガイド
４３…ブラケット
【図１】
0003654994.tif 000003
【図２】
0003654994.tif 000004
【図３】
0003654994.tif 000005